【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
複数のデバイス（１１０、１３０）とデータを交換するように無線アクセスポイント（１２２）を動作させる(operating)方法であって、前記データが、複数の副搬送波（２１０１、２１０２…２１０２４）を有する周波数範囲（２００）で無線によって交換され、
複数の副搬送波の少なくとも一部分におけるアクティビティ(activity)を検知するステップ（６１４）であって、当該検知が、前記一部分の中の各副搬送波に対して、
１回めに、信号が、前記副搬送波に亘って（over）送信されているか否かを検知するサブステップと、
信号が、前記１回目において検知されるときに、ランダムな間隔だけ待機して、信号が、前記副搬送波に亘って送信されているか否かを検知するサブステップと、
を含むものと、
複数の副搬送波割当て(assignments)を発生させるステップ（６１２、６２６）であって、各副搬送波割当てが、複数の副搬送波を含み、当該副搬送波割当ての各々が、前記複数のデバイスのうち１つのデバイスに関連づけられ(associated with)、前記副搬送波割当てがそれぞれ、送信されている信号が、前記複数の副搬送波のうちの副搬送波の中で検知されたか否かに少なくとも部分的に基づいて選択され、前記複数の副搬送波割当てのうちいくつかの前記副搬送波割当てが、前記複数のデバイスそれぞれ(each)との通信を、前記複数のデバイスのうちそれ以外(others)のデバイスとの通信とは区別(distinguish)するように選択される(selected)ステップと、
前記複数の副搬送波割当てそれぞれを、前記複数のデバイスのうち前記関連づけられたデバイスに送るステップ（６３０）と、
前記割り当てられた副搬送波を使って、前記１つのデバイスと通信するステップ（６３２）とを含む方法。
【請求項２】
前記副搬送波割当てそれぞれを送るステップ（６３０）が、前記副搬送波割当てを、前記アクセスポイントからの制御通信に組み込まれる(embedded)情報要素(information element)（３３０、３４０）に入れて送るステップを含む、請求項１に記載の方法。
【請求項３】
デバイスに関連づけられた副搬送波割当てを発生させるステップに先立って、いくつかの副搬送波を示すリクエストを前記デバイスから受信するステップ（６１０）をさらに含む、請求項２に記載の方法。
【請求項４】
前記デバイスに関連づけられた前記副搬送波割当てが、いくつかの副搬送波を割り当て、
前記副搬送波割当てを発生させるステップ（６１２）が、前記デバイスから受信された前記リクエストに示される前記いくつかの副搬送波に少なくとも部分的に基づいて、前記いくつかの副搬送波を選択するステップを含む、請求項３に記載の方法。
【請求項５】
前記デバイスが、前記複数のデバイスのうち第１のデバイス（１１０）であり、前記副搬送波割当てが第１の副搬送波割当てであり、前記第１のデバイスが第１のアプリケーションを実行し、
前記方法が、
第２の副搬送波割当てを発生させるステップに先立って、前記複数のデバイスのうち第２のデバイス（１３０）から、第２の副搬送波数を示す第２のリクエストを受信するステップであって、前記第２の副搬送波割当てが前記第２のデバイスに関連づけられ、前記第２のデバイスが第２のアプリケーションを実行するステップと、
前記第１のアプリケーションからのデータを、前記第１の副搬送波割当てにおける副搬送波中で伝送されるデータグラム(datagrams)（１１２１、１１２２）に入れて伝送するステップと、
第２のアプリケーションからのデータを、前記第２の副搬送波割当てにおける副搬送波中で伝送されるデータグラム（１３６１…１３６５）に入れて伝送するステップであって、前記データグラムが、前記第１のアプリケーションからのデータを含む前記データグラムより少ないビットを含む、前記第２のアプリケーションからのデータを含むステップとをさらに含む、請求項４に記載の方法。
【請求項６】
前記第２のアプリケーションが、ボイスオーバーＩＰアプリケーションを含む、請求項５に記載の方法。
【請求項７】
前記第２の副搬送波割当てを送るステップに先立って、前記第２のアプリケーションのタイプに基づく副搬送波割当てを求めるリクエストを示す情報要素を含む制御メッセージを受信するステップをさらに含む、請求項５に記載の方法。
【請求項８】
複数の副搬送波割当てを発生させるステップが、
前記副搬送波のサブセットを、前記複数のデバイスによって直交周波数分割多重アクセス（ＯＦＤＭＡ）を実装するために、前記複数のデバイスの各デバイスによる使用のために動的に選択するステップであって、選択された各副搬送波が、閾値未満(below a threshold)の検知されたアクティビティを有するステップを含む、請求項１に記載の方法。
【請求項９】
複数の副搬送波割当てを発生させるステップが、
前記複数のデバイスの各デバイスごとに、予め定義された複数のチャネルからなるサブセットを割り当てるステップであって、選択された、予め定義された各グループが、本質的には閾値未満の検知されたアクティビティを有する副搬送波からなるステップを含む、請求項１に記載の方法。
【請求項１０】
アクセスポイントを介して無線ネットワークを越えて通信するように適合されたコンピューターによって実行されると、
前記コンピューターにインストールされた少なくとも１つのアプリケーションプログラムに基づいて副搬送波要求を識別するステップと、
前記アクセスポイントと副搬送波割当てをネゴシエートするステップであって、前記副搬送波割当てが、前記無線ネットワークによって使われる無線通信周波数範囲の複数の副搬送波の一部分の識別(identification)を含み、前記ネゴシエートするステップが、
前記副搬送波要求を表す情報要素をフォーマットするサブステップと、
前記情報要素を、前記無線ネットワークのプロトコル形式の第１の制御通信において伝達するサブステップと、
前記無線ネットワークの前記プロトコルの前記形式の、少なくとも第２の制御通信における前記副搬送波割当てを定義する(defining)情報を受信するサブステップと、
サブセットを使って、前記無線ネットワークを越えて(over)通信を無線伝送するステップとを含むサブステップと、
を含むものと、
を実施するコンピューター実行可能命令を有するコンピューター記憶媒体。
【請求項１１】
前記コンピューター記憶媒体が、実行されると、前記アプリケーションプログラムから、帯域幅要求(bandwidth requirement)の指示(indication)を受信することを含むステップを実施するコンピューター実行可能命令をさらに備え、
副搬送波要求を識別するステップが、副搬送波要求を、前記帯域幅要求の前記指示に少なくとも部分的に基づいて識別するステップを含む、請求項１０に記載のコンピューター記憶媒体。
【請求項１２】
アクセスポイントを介して無線通信するようにデバイスを動作させる方法であって、
前記アクセスポイントから制御通信を受信するステップ（８２０）と、
前記制御通信に含まれる情報要素が、前記アクセスポイントがＯＦＤＭＡを実施することが可能であることを示すかどうか判定するステップ（８２４）と、
前記アクセスポイントがＯＦＤＭＡを実施することが可能であることが示されない場合、
前記デバイスに割り当てられた複数の副搬送波の一部分を選択するステップ（８４２）と、
前記選択された部分を、無線で、前記アクセスポイントに伝達するステップ（８４４）と、
前記副搬送波の前記選択された部分を使って、前記アクセスポイントに通信を送るステップ（８６０）とを含む方法。
【請求項１３】
前記アクセスポイントがＯＦＤＭＡを実施することが可能であることが示される場合、
前記アクセスポイントからの制御通信において、複数の副搬送波の識別を受信するステップ（８３０）と、
前記複数の前記副搬送波を使って、前記アクセスポイントを介して通信を送るステップとをさらに含む、請求項１２に記載の方法。
【請求項１４】
制御通信を受信するステップが、ビーコンを受信するステップ（８２０）を含む、請求項１３に記載の方法。
【請求項１５】
複数の副搬送波の前記識別を受信するステップが、前記ビーコン中の前記識別を受信するステップを含む、請求項１４に記載の方法。
【請求項１６】
前記複数の副搬送波の一部分を選択するステップが、前記デバイスの使用可能電力レベルに基づいて、いくつかの副搬送波を選択するステップを含む、請求項１５に記載の方法。
【請求項１７】
前記選択された部分を前記アクセスポイントに伝達するステップが、前記選択された部分を、制御通信において情報要素に入れて伝達するステップを含む、請求項１６に記載の方法。
【請求項１８】
前記アクセスポイント上で、前記通信を受信するステップをさらに含み、前記受信するステップが、
前記受信された通信のエラー訂正処理を、前記部分にはない副搬送波における情報欠如(lack)が、エラーと解釈(interpreted)されないように修正(modifying)するステップ（８７２）を含む、請求項１２に記載の方法。
【請求項１９】
エラー訂正処理を修正するステップが、巡回冗長検査を実施するソフトウェアの動作を変更(altering)するステップを含む、請求項１８に記載の方法。
【請求項２０】
前記副搬送波割当それぞれを、前記複数のデバイスのうち前記関連付けられたデバイスに送るステップが、
割当を、Ｗｉ-Ｆｉ又はＷｉＭａｘプロトコルに従ってフォーマット化された、制御通信で送るステップを含む、
請求項１に記載の方法。